(57)【要約】  本発明は、靴、とりわけゴルフ用靴のソール（３）の底面（２）に取り付け可能な滑り留め具（１）に関する。特にゴルフをプレーする際に地面に対する靴の保持力を改善するために、本発明の滑り留め具は、滑り留め具（１）はソール（３）に連結できるクリート本体部（４）を有し、クリート本体部（４）には、地面に向かって延びる少なくとも１つの延長部（５）が設けられ、地面に面する延長部（５）の端部の垂直突起領域（ＡＦ）が、少なくとも部分的に、好適には完全にクリート本体部（４）の垂直突起領域（ＡＧ）の外側にあることを特徴とするものである。さらに本発明は、こうした滑り留め具を有する靴のソールおよび靴に関する。
2010524602.tif 000002
【特許請求の範囲】
【請求項１】
靴、とりわけゴルフ用靴のソール（３）の底面（２）に取り付け可能な滑り留め具（１）であって、
滑り留め具（１）はソール（３）に連結できるクリート本体部（４）を有し、
クリート本体部（４）には、地面に向かって延びる少なくとも１つの延長部（５）が設けられ、
地面に面する延長部（５）の端部の垂直突起領域（ＡＦ）が、少なくとも部分的に、好適には完全にクリート本体部（４）の垂直突起領域（ＡＧ）の外側にあることを特徴とする滑り留め具。
【請求項２】
請求項１に記載の滑り留め具であって、
延長部（５）は、長手方向軸（Ｌ）に沿って細長い形状を有することを特徴とする滑り留め具。
【請求項３】
請求項２に記載の滑り留め具であって、
延長部（５）の長手方向軸（Ｌ）は、垂直方向（Ｖ）との間に２０°〜６０°の角度αをなすことを特徴とする滑り留め具。
【請求項４】
請求項３に記載の滑り留め具であって、
角度αは３０°〜５０°であることを特徴とする滑り留め具。
【請求項５】
請求項１〜４のいずれか１に記載の滑り留め具であって、
延長部（５）は、長手方向軸（Ｌ）に垂直な断面において実質的に矩形形状を有することを特徴とする滑り留め具。
【請求項６】
請求項１〜５のいずれか１に記載の滑り留め具であって、
クリート本体部（４）および少なくとも１つの延長部（５）は、射出モールド成形部品として一体成形されることを特徴とする滑り留め具。
【請求項７】
請求項６に記載の滑り留め具であって、
クリート本体部（４）および少なくとも１つの延長部（５）は、熱可塑性ポリウレタンエラストマ材料（ＴＰＵ）から形成されることを特徴とする滑り留め具。
【請求項８】
請求項１〜７のいずれか１に記載の滑り留め具であって、
クリート本体部（４）は、実質的に半球形状を有することを特徴とする滑り留め具。
【請求項９】
請求項１〜８のいずれか１に記載の滑り留め具であって、
クリート本体部（４）は、ソール（３）に固定するための固定部品（６）を有することを特徴とする滑り留め具。
【請求項１０】
請求項９に記載の滑り留め具であって、
固定部品（６）は、垂直方向（Ｖ）に延びる円筒部材であり、ソール（３）の構成材料を用いて形成されることを特徴とする滑り留め具。
【請求項１１】
請求項１０に記載の滑り留め具であって、
複数の円筒部材（６）が、ソール（３）に面した端面において、クリート本体部（４）の周縁部の周りに配置されることを特徴とする滑り留め具。
【請求項１２】
請求項９〜１１のいずれか１に記載の滑り留め具であって、
固定部品（６）はディスク（１３）に配置され、ディスクはクリート本体部（４）に連結されることを特徴とする滑り留め具。
【請求項１３】
請求項１〜１２のいずれか１に記載の滑り留め具であって、
滑り留め部品（１４）の一部が支持プレート（１５）を有し、支持プレート上に少なくとも２つの滑り留め具（１）が設けられることを特徴とする滑り留め具。
【請求項１４】
請求項１３に記載の滑り留め具であって、
少なくとも２つの滑り留め具（１）および支持プレート（１５）は、射出モールド成形部品として一体成形されることを特徴とする滑り留め具。
【請求項１５】
請求項１３または１４に記載の滑り留め具であって、
３つの滑り留め具（１）が支持プレート（１５）上に設けられ、支持プレート（１５）は正三角形形状を有することを特徴とする滑り留め具。
【請求項１６】
請求項１３〜１５のいずれか１に記載の滑り留め具であって、
支持プレート（１５）は、滑り留め具の間に設けられた凹部を有することを特徴とする滑り留め具。
【請求項１７】
請求項１３〜１６のいずれか１に記載の滑り留め具であって、
滑り留め具（１）の延長部（５）は、同一方向に向いていることを特徴とする滑り留め具。
【請求項１８】
請求項１３〜１６のいずれか１に記載の滑り留め具であって、
滑り留め具（１）の延長部（５）は、異なる方向に向いていることを特徴とする滑り留め具。
【請求項１９】
請求項１３に記載の滑り留め具であって、
特にねじ接続により、支持プレート（１５）に着脱可能に取り付けられることを特徴とする滑り留め具。
【請求項２０】
請求項１〜１９のいずれか１に記載の滑り留め具を少なくとも１つ有することを特徴とする靴のソール（３）。
【請求項２１】
請求項２０に記載のソールであって、
少なくとも２つの滑り留め具（１）がソールに取り付けられ、少なくとも２つの滑り留め具（１）の延長部（５）は少なくとも２つの異なる方向に向いていることを特徴とする靴のソール（３）。
【請求項２２】
請求項１３〜１９，２０のいずれか１に記載の靴のソール（３）であって、
支持プレート（１５）は、ソール本体部に糊付けされることを特徴とする靴のソール（３）。
【請求項２３】
請求項１３〜１９，２０のいずれか１に記載の靴のソール（３）であって、
支持プレート（１５）は、溶接によりソール本体部に固定されることを特徴とする靴のソール（３）。
【請求項２４】
請求項１３〜１９，２０のいずれか１に記載の靴のソール（３）であって、
支持プレート（１５）は、射出モールド成形プロセスにより、ソール（３）の材料で形成されることを特徴とする靴のソール（３）。
【請求項２５】
請求項１３〜１９，２０のいずれか１に記載の靴のソール（３）であって、
支持プレート（１５）は、特にねじ接続により、靴のソール（３）に着脱可能に取り付けられることを特徴とする靴のソール（３）。
【請求項２６】
請求項２０〜２５のいずれか１に記載のソール（３）を有することを特徴とする靴、とりわけゴルフ用靴。
【発明の詳細な説明】
【技術分野】
【０００１】
本発明は、靴の底面に滑り留め具（クリート）を固定できる靴、とりわけゴルフ靴の滑り留め具に関する。さらに本発明は、滑り留め具を有する靴底、およびこのような靴底を有する靴に関する。
【背景技術】
【０００２】
滑り留め具を有する靴は当業者に広く知られている。滑り留め具は、一般的な用途において用いられるような回転対称的なものだけでなく、靴底の底面に固定されるような非対称的な形態を有する場合もある。
【０００３】
国際特許出願公開第００／１５０６８号は、靴底の底面に固定された滑り留め具を開示し、その滑り留め具は垂直方向の形状が実質的に三角形であり、その他にも仏国特許出願公開第２８１８８７６号は細長い形状の滑り留め具を開示する。
【０００４】
ここでは滑り留め具は、長手方向軸、すなわち靴底面に対して鉛直な垂直方向に延びている。
【０００５】
独国特許出願公開第３０３２２６８号は、（靴底の側方領域において）傾斜して配置された滑り留め具、すなわち側方に向いた滑り留め具を開示している。同様の解決手段が独国特許出願公開第２８２８５６１号に記載されている。
【０００６】
いくつかの用途において、滑り留め具付き靴の基本的な効果を維持しつつ、地面に対して足が側方に滑らないように、特定の方向における抗力を発生させることが好ましい。典型的な具体例は、地面に対して特別なグリップ（把持力）を与える必要のあるゴルフ靴である。
【先行技術文献】
【特許文献】
【０００７】
【特許文献１】国際特許出願公開第００／１５０６８号パンフレット
【特許文献２】仏国特許出願公開第２８１８８７６号明細書
【特許文献３】独国特許出願公開第３０３２２６８号明細書
【特許文献４】独国特許出願公開第２８２８５６１号明細書
【発明の概要】
【発明が解決しようとする課題】
【０００８】
すなわち本発明の目的は、滑り留め具、その滑り留め具を有する靴底、およびその靴底を有する靴（特にゴルフ用靴）を提案することである。滑り留め具は、地面に対する改善された把持力により特徴付けられ、このときゴルフの特別な運動力学を考慮する必要がある。地面に対してゴルフプレーヤの足を最適に固定するために、このとき生じる力を必要な方向に選択的に伝達する必要がある。さらに、こうした滑り留め具付き靴を安価に製造できるようにすることを目的とする。
【課題を解決するための手段】
【０００９】
この目的を達成するための本発明による解決手段は、以下の点において特徴を有する。滑り留め具はソールに連結できるクリート本体部を有し、クリート本体部には、地面に向かって延びる少なくとも１つの延長部が設けられ、地面に面する延長部の端部の垂直突起領域が、少なくとも部分的に、好適には完全にクリート本体部の垂直突起領域の外側にある。
【００１０】
換言すると、地面に面する少なくとも１つの延長部がクリート本体部に設けられ、延長部は、地面に面する端部を有するクリート本体部の垂直突起領域から離れて延びる。提案された滑り留め具は、延長部がクリート本体部を越えて所定の方向に配置され、クリート本体部の垂直突起領域を離れるように延びることにより、地面に対する滑り留め具の特に横方向の良好な保持力を実現できるという点において特徴を有する。
【００１１】
好適には、延長部は長手方向軸に沿って細長い形状を有する。延長部の長手方向軸は、垂直方向との間に２０°〜６０°の角度αをなし、とりわけ３０°〜５０°の角度αをなす。
【００１２】
実施形態によれば、延長部は、長手方向軸に垂直な断面において実質的に矩形形状を有する。
【００１３】
クリート本体部および少なくとも１つの延長部は、射出モールド成形部品として一体成形される。クリート本体部および少なくとも１つの延長部は、熱可塑性ポリウレタンエラストマ材料（ＴＰＵ）から形成される。
【００１４】
別の態様によるクリート本体部は、実質的に半球形状を有する。滑り留め具をソールにしっかりと固定するために、本発明の実施形態は、クリート本体部がソールに固定するための固定部品を有することを提案する。固定部品は、垂直方向に延びる円筒部材であり、ソールの構成材料を用いて形成されるものであってもよい。好適には、複数の円筒部材が、ソールに面した端面において、クリート本体部の周縁部の周りに配置される。好適には、固定部品はディスクに配置され、ディスクはクリート本体部に連結される。
【００１５】
とりわけ安価に作製するために、さらに好適な態様は、滑り留め部品の一部が支持プレートを有し、支持プレート上に少なくとも２つの滑り留め具が設けられることを提案する。
【００１６】
ここで、少なくとも２つの滑り留め具および支持プレートは、射出モールド成形部品として一体成形される。
【００１７】
滑り留め部品の特に有用な実施形態が可能であり、これにより簡便で迅速、さらに安価に滑り留め具を有する靴のソールを製造することができ、それは、３つの滑り留め具が支持プレート上に設けられることで特徴付けられ、このとき必須ではないが好適には、支持プレートは正三角形形状を有する。
【００１８】
さらに支持プレートは、滑り留め具の間に設けられた凹部を有していてもよい。
【００１９】
支持プレートの異なる滑り留め具の延長部は、すべて同一方向に向いていてもよいし、異なる方向に向いていてもよい。
【００２０】
提案された靴のソールは、上記の種類の少なくとも１つの滑り留め具を有する。このとき好適には、少なくとも２つの滑り留め具がソールに取り付けられ、少なくとも２つの滑り留め具の延長部は少なくとも２つの異なる方向に向いている。
【００２１】
滑り留め部品（各部品に複数の滑り留め具が含まれる）を用いた有用な実施形態を採用すると、支持プレートは、ソール本体部に糊付けされることが提案される。この解決手段の代わりに、支持プレートは、溶接によりソール本体部に固定されることが提案される。さらに有用で安価な実施形態によれば、支持プレートは、射出モールド成形プロセスにより、ソールの材料で形成される。
【００２２】
択一的な実施形態によれば、滑り留め具と支持プレート、および／または支持プレートとソールは、たとえば好適にはねじ接続により、着脱可能に取り付けられる。そうすることにより、使用できない滑り留め具および滑り留め部品を交換することができる。本発明は、ゴルフ用靴において特に有用である。
【００２３】
靴の着用者による負荷されたときの延長部の変形が小さく、延長部が地面に貫通することにより、延長部の地面に対する保持力を極力大きくするように、滑り留め具および特に延長部の構成材料、ならびに延長部の寸法を選択することが好ましい。
【図面の簡単な説明】
【００２４】
【図１】靴底に固定される滑り留め具の側面図である。
【図２】図１の滑り留め具の斜視図である。
【図３】図１のＡ−Ｂ線から見た断面図である。
【図４】複数の滑り留め具が固定されたゴルフ用靴のソールの底面の平面図である。
【図５】３つの滑り留め具を有する滑り留め部品の斜視図である。
【図６】図５の滑り留め具が固定されたゴルフ用靴のソールの底面の平面図である。
【図７】第１の実施形態に係る３つの滑り留め具を有する滑り留め部品の平面図である。
【図８】択一的な第２の実施形態に係る３つの滑り留め具を有する滑り留め部品の平面図である。
【発明を実施するための形態】
【００２５】
図１および図２に示す滑り留め具（クリート）１は、靴のソール３の底面２に固定されている。滑り留め具１は、実質的な半球形状を有する本体部４を有する。クリート本体部４は、図１で明らかなように突起領域ＡＧを有し、垂直方向Ｖから見ると、この実施形態では円形形状を有するものである。
【００２６】
複数の固定部品６を用いて、滑り留め具１をソール３に安全に固定することができる。固定部品は、垂直方向Ｖに延びる実質的に円筒形状のピンとして構成され、靴およびソールの製造時における射出モールド成形により形成される。固定部品６を保持し、後にクリート本体部４に接続されるディスク１３を用いて、滑り留め具１がソール３に確実に支持される。クリート本体部４、ディスク１３、および固定部品６は、一体成形部品として形成される。
【００２７】
重要なことに、少なくとも１つの延長部５がクリート本体部４から地面に向かって延びている。そのため、図１から最もよく分かるように、地面に面した端部を有する延長部５は、クリート本体部４の垂直突起領域ＡＧから離れるように延びている。すなわち延長部５の地面に面した端部（この実施形態では矩形形状を有する）の垂直突起領域ＡＦは、その一部、好適にはその全部がクリート本体部４の垂直突起領域ＡＧの外側にある。
【００２８】
延長部５がロッド状となったところでは、長手方向軸Ｌが形成され、これに沿って延長部５が延びる。この長手方向軸Ｌは垂直方向との間に角度αをなし、この実施形態では約４０度である。
【００２９】
図３から明らかなように、延長部は実質的に矩形形状の断面を有する（図１のＡ−Ｂ線から見た断面図を参照されたい。）。
【００３０】
ここで提案されたデザインによれば、クリート本体部４による滑り留め具の既知の機能に加えて、延長部５により、滑り留め具１の地面に対する特定の側方保持機能を実現することができる。
【００３１】
これに関連して、ゴルフ用靴の実現可能な実施形態を図４に示す。これはゴルフ用靴のソール３を底面から見たものであり、複数の滑り留め具１がソールに固定されている。
【００３２】
滑り留め具１のそれぞれが図１に示す延長部５を有する。図４から明らかなように、地面に対する突起部は延長部５に沿って形成される。図示されているように、延長部５は異なる手法で配列され、すなわちさまざまな側面に向いている。したがって、地面上の延長部５の突起部と靴の長手方向軸Ｒとの間に角度βを規定することができる。図４の中央ソール領域において、３つの滑り留め具１がマークされている。
【００３３】
図４に示す実施形態において、ソール内側面８からソール外側面９までのソール３の幅にわたって延びる仮想帯域７に沿って、一足の靴のうちの少なくとも一方に複数の滑り留め具１が配設されている。
【００３４】
外側ソール領域１０にある延長部５は、靴の長手方向軸Ｒから外側面に向かって６０°〜１３５°の角度βＡをなす。また中央ソール領域１１にある延長部５は、靴の長手方向軸Ｒから後方に向かって１３５°〜２２５°の角度βＭをなす。さらに、内側ソール領域１２にある延長部５は、靴の長手方向軸Ｒから内側面に向かって９０°〜１８０°の角度βＩをなす。
【００３５】
このとき仮想帯域７は、ソール外側面９からソール内側面８に延び、靴の長手方向軸Ｒからソール内側面８に向かって３０°〜９０°、好適には４０°〜５０°の角度γをなす。さらに仮想帯域７は、ソール外側面９から、ソール３の前端部および後端部の間のほぼ中央において形成される。図から分かるように、４〜６個の滑り留め具１が仮想帯域７に沿って並んで配置される。
【００３６】
上述のように滑り留め具１を調節することにより、ゴルフボールを打つときの運動力学に起因する力は、靴を通じて地面に伝達する必要があるが、最適な方法で伝達することができるという利点が得られる。こうして、特にゴルフをプレーする際、地面に対する靴の保持力を改善することができる。
【００３７】
上述のように滑り留め具１を調節するとき、ヒットプロセスに従いゴルフクラブでボールを打つ際、力をゴルフクラブからプレーヤおよびその足を介して地面にさまざまな手法で伝達させなければならない点に留意する。この点において、特に仮想帯域７内に延長部５を有する滑り留め具１を配列したとき、最適な結果が得られる。
【００３８】
上記実施形態の各実施例では、クリート本体部４には、ただ１つの延長部５を設けた。しかし２つまたは３つの延長部５を設けてもよく、滑り留め具１の一方の側面に対して星形形状に延びるようにしてもよい。
【００３９】
一足の靴の２つのソールにおいて、複数の滑り留め具を鏡像のように（対称的に）配置する必要はない。２つの靴において、複数の滑り留め具を異なる手法で配置することも同様に合理的である。
【００４０】
上述のように靴ソールに複数の滑り留め具を容易に、かつ安価に取り付けるために、本発明は、さらに図５〜図８に図示するような解決手段を提案する。
【００４１】
図５に滑り留め部品１４が図示され、これらはソール３に連結する前において、独立した部品として製造することができる。滑り留め部品１４は３つの滑り留め具１を有し、各滑り留め具は延長部５を有する。滑り留め具１は支持プレート１５に連結され、すなわちこの場合、滑り留め具１および支持プレート１５は共通の射出モールド成形により製造される。
【００４２】
図５の解決手段の重量を削減し、材料を節約するために、支持プレート１５は凹部１６を有する。
【００４３】
図６から分かるように、ソール３はいくつかの（ここでは６つの）滑り留め部品１４を有し、これら以外に単一の滑り留め具１をソール３に取り付けることが可能である。
【００４４】
図７および図８は、滑り留め部品１４の変形例によるデザインを示す。各滑り留め部品１４は、３つの滑り留め具１を有する。図７から分かるように、すべての延長部５は同一方向に向いている。図８によれば、そうではなく、延長部５は異なる方向に向いている。
【符号の説明】
【００４５】
１：滑り留め具
２：底面
３：ソール
４：クリート本体部
５：延長部
６：固定部品
７：仮想帯域
８：ソール内側面
９：ソール外側面
１０：外側ソール領域
１１：中央ソール領域
１２：内側ソール領域
１３：ディスク
１４：滑り留め部品
１５：支持プレート
１６：凹部
ＡＧ：クリート本体部の垂直突起領域
ＡＦ：延長部の端部の垂直突起領域
Ｌ：延長部の長手方向軸
α：角度
Ｖ：垂直方向
Ｒ：靴の長手方向軸
βＡ：角度
βＭ：角度
βＩ：角度
γ：角度
【図１】
2010524602.tif 000003
【図２】
2010524602.tif 000004
【図３】
2010524602.tif 000005
【図４】
2010524602.tif 000006
【図５】
2010524602.tif 000007
【図６】
2010524602.tif 000008
【図７】
2010524602.tif 000009
【図８】
2010524602.tif 000010
【手続補正書】
【提出日】平成20年8月5日(2008.8.5)
【手続補正１】
【補正対象書類名】明細書
【補正対象項目名】０００１
【補正方法】変更
【補正の内容】
【０００１】
本発明は、靴の底面に滑り留め具（クリート）を固定できる靴、とりわけゴルフ靴の滑り留め具に関する。滑り留め具はソールに連結できるクリート本体部を有し、クリート本体部には、地面に向かって延びる延長部が設けられ、地面に面する延長部の端部の垂直突起領域が、少なくとも部分的に、好適には完全にクリート本体部の垂直突起領域の外側にある。さらに本発明は、滑り留め具を有する靴底、およびこのような靴底を有する靴に関する。
【手続補正２】
【補正対象書類名】明細書
【補正対象項目名】０００２
【補正方法】変更
【補正の内容】
【０００２】
滑り留め具を有する靴は当業者に広く知られている。滑り留め具は、一般的な用途において用いられるような回転対称的なものだけでなく、靴底の底面に固定されるような非対称的な形態を有する場合もある。
上述のタイプの滑り留め具は、米国特許出願公開第２００６／００９０３７３号、米国特許第６７０５０２７号、および米国特許出願公開第２００３／０１８８４５８号に記載されている。また別の解決手段が国際特許出願公開第００／６４２９４号に開示されている。
【手続補正３】
【補正対象書類名】明細書
【補正対象項目名】０００７
【補正方法】変更
【補正の内容】
【０００７】
【特許文献１】国際特許出願公開第００／１５０６８号パンフレット
【特許文献２】仏国特許出願公開第２８１８８７６号明細書
【特許文献３】独国特許出願公開第３０３２２６８号明細書
【特許文献４】独国特許出願公開第２８２８５６１号明細書
【特許文献５】米国特許出願公開第２００６／００９０３７３号
【特許文献６】米国特許第６７０５０２７号
【特許文献７】米国特許出願公開第２００３／０１８８４５８号パンフレット
【特許文献８】国際特許出願公開第００／６４２９４号
【手続補正４】
【補正対象書類名】明細書
【補正対象項目名】０００９
【補正方法】変更
【補正の内容】
【０００９】
この目的を達成するための本発明による解決手段は、以下の点において特徴を有する。滑り留め具はソールに連結できるクリート本体部を有し、クリート本体部には、地面に向かって延びる少なくとも１つの延長部が設けられ、地面に面する延長部の端部の垂直突起領域が、少なくとも部分的に、好適には完全にクリート本体部の垂直突起領域の外側にある。
本発明による解決手段は、クリート本体部が実質的に半球形状を有し、単一の延長部がクリート本体部から地面に向かって延びることを特徴とするものである。
【手続補正５】
【補正対象書類名】特許請求の範囲
【補正対象項目名】全文
【補正方法】変更
【補正の内容】
【特許請求の範囲】
【請求項１】
靴、とりわけゴルフ用靴のソール（３）の底面（２）に取り付け可能な滑り留め具（１）であって、
滑り留め具（１）はソール（３）に連結できるクリート本体部（４）を有し、
クリート本体部（４）には、地面に向かって延びる延長部（５）が設けられ、
地面に面する延長部（５）の端部の垂直突起領域（ＡＦ）が、少なくとも部分的に、好適には完全にクリート本体部（４）の垂直突起領域（ＡＧ）の外側にあり、
クリート本体部（４）は、実質的に半球形状を有し、
単一の延長部（５）がクリート本体部（４）から地面に向かって延びることを特徴とする滑り留め具。
【請求項２】
請求項１に記載の滑り留め具であって、
延長部（５）は、長手方向軸（Ｌ）に沿って細長い形状を有することを特徴とする滑り留め具。
【請求項３】
請求項２に記載の滑り留め具であって、
延長部（５）の長手方向軸（Ｌ）は、垂直方向（Ｖ）との間に２０°〜６０°の角度αをなすことを特徴とする滑り留め具。
【請求項４】
請求項３に記載の滑り留め具であって、
角度αは３０°〜５０°であることを特徴とする滑り留め具。
【請求項５】
請求項１〜４のいずれか１に記載の滑り留め具であって、
延長部（５）は、長手方向軸（Ｌ）に垂直な断面において実質的に矩形形状を有することを特徴とする滑り留め具。
【請求項６】
請求項１〜５のいずれか１に記載の滑り留め具であって、
クリート本体部（４）および少なくとも１つの延長部（５）は、射出モールド成形部品として一体成形されることを特徴とする滑り留め具。
【請求項７】
請求項６に記載の滑り留め具であって、
クリート本体部（４）および少なくとも１つの延長部（５）は、熱可塑性ポリウレタンエラストマ材料（ＴＰＵ）から形成されることを特徴とする滑り留め具。
【請求項８】
請求項１〜７のいずれか１に記載の滑り留め具であって、
クリート本体部（４）は、ソール（３）に固定するための固定部品（６）を有することを特徴とする滑り留め具。
【請求項９】
請求項８のいずれか１に記載の滑り留め具であって、
固定部品（６）は、垂直方向（Ｖ）に延びる円筒部材であり、ソール（３）の構成材料を用いて形成されることを特徴とする滑り留め具。
【請求項１０】
請求項９のいずれか１に記載の滑り留め具であって、
複数の円筒部材（６）が、ソール（３）に面した端面において、クリート本体部（４）の周縁部の周りに配置されることを特徴とする滑り留め具。
【請求項１１】
請求項８〜１０のいずれか１に記載の滑り留め具であって、
固定部品（６）はディスク（１３）に配置され、ディスクはクリート本体部（４）に連結されることを特徴とする滑り留め具。
【請求項１２】
請求項１〜１１のいずれか１に記載の滑り留め具であって、
滑り留め部品（１４）の一部が支持プレート（１５）を有し、支持プレート上に少なくとも２つの滑り留め具（１）が設けられることを特徴とする滑り留め具。
【請求項１３】
請求項１２に記載の滑り留め具であって、
少なくとも２つの滑り留め具（１）および支持プレート（１５）は、射出モールド成形部品として一体成形されることを特徴とする滑り留め具。
【請求項１４】
請求項１２または１３に記載の滑り留め具であって、
３つの滑り留め具（１）が支持プレート（１５）上に設けられ、支持プレート（１５）は正三角形形状を有することを特徴とする滑り留め具。
【請求項１５】
請求項１２〜１４のいずれか１に記載の滑り留め具であって、
支持プレート（１５）は、滑り留め具の間に設けられた凹部を有することを特徴とする滑り留め具。
【請求項１６】
請求項１２〜１５のいずれか１に記載の滑り留め具であって、
滑り留め具（１）の延長部（５）は、同一方向に向いていることを特徴とする滑り留め具。
【請求項１７】
請求項１２〜１５のいずれか１に記載の滑り留め具であって、
滑り留め具（１）の延長部（５）は、異なる方向に向いていることを特徴とする滑り留め具。
【請求項１８】
請求項１２に記載の滑り留め具であって、
特にねじ接続により、支持プレート（１５）に着脱可能に取り付けられることを特徴とする滑り留め具。
【請求項１９】
請求項１〜１８のいずれか１に記載の滑り留め具を少なくとも１つ有することを特徴とする靴のソール（３）。
【請求項２０】
請求項１９に記載のソールであって、
少なくとも２つの滑り留め具（１）がソールに取り付けられ、少なくとも２つの滑り留め具（１）の延長部（５）は少なくとも２つの異なる方向に向いていることを特徴とする靴のソール（３）。
【請求項２１】
請求項１２〜１８，１９のいずれか１に記載の靴のソール（３）であって、
支持プレート（１５）は、ソール本体部に糊付けされることを特徴とする靴のソール（３）。
【請求項２２】
請求項１２〜１８，１９のいずれか１に記載の靴のソール（３）であって、
支持プレート（１５）は、溶接によりソール本体部に固定されることを特徴とする靴のソール（３）。
【請求項２３】
請求項１２〜１８，１９のいずれか１に記載の靴のソール（３）であって、
支持プレート（１５）は、射出モールド成形プロセスにより、ソール（３）の材料で形成されることを特徴とする靴のソール（３）。
【請求項２４】
請求項１２〜１８，１９のいずれか１に記載の靴のソール（３）であって、
支持プレート（１５）は、特にねじ接続により、靴のソール（３）に着脱可能に取り付けられることを特徴とする靴のソール（３）。
【請求項２５】
請求項１９〜２４のいずれか１に記載のソール（３）を有することを特徴とする靴、とりわけゴルフ用靴。
【国際調査報告】
2010524602.tif 000011
2010524602.tif 000012
2010524602.tif 000013
2010524602.tif 000014